(57)【特許請求の範囲】
【請求項１】
底板と該底板の一縁に開閉自在に枢着した蓋部とよりなる収納容器を備え、
該蓋部は各縁に起立壁部を備え、
該蓋部は基部の一縁に先端部を折り曲げ自在に取り付けてなり、
該底板には下敷と文鎮と書液とを取り外し自在に載置すると共に筆置きを備えさせ、該蓋部における基部の内面には筆記用具の収納手段を配設し、
更に該蓋部を底板に固定するための固定手段を設けたことを特徴とする書写用具。
【請求項２】
前記下敷は、硬筆用下敷面と毛筆用下敷面とを備えていることを特徴とする請求項１に記載の書写用具。
【請求項３】
前記下敷には磁石片又は鉄片を備えさせ、前記文鎮には該下敷の磁石片又は鉄片に吸着する鉄片又は磁石片を備えさせたことを特徴とする請求項１又は２に記載の書写用具。
【発明の詳細な説明】
【技術分野】
【０００１】
本発明は、書写用具に関するものであり、例えば、小学校、中学校等の学校における書写に用いられる書写用具に係るものである。
【背景技術】
【０００２】
書写用具としては、筆記用具、文鎮、下敷、書液等の書写用道具を収納箱、収納袋等の収納手段に収納してなるもの（以下「従来の書写用具」という。）が従来より使用されている。
【０００３】
また、特開２０００−１１８１９１号公報は、布地からなる基布の上に透明な樹脂からなるシートと、該シートの上に手本用文字を視認することができるネットとを積層配置して、少なくとも一つの縁部でこれらの基布とシートとネットとを固着したことを特徴とする書写用下敷（以下「従来の書写用下敷」という。）を開示している。
【特許文献１】特開２０００−１１８１９１号公報
【発明の開示】
【発明が解決しようとする課題】
【０００４】
前記従来の書写用具においては、書写を開始するに際し、筆記用具、文鎮、下敷、書液等の書写用道具を収納手段から取り出して、机上に並べるという準備作業に数分間の時間を要する。また、書写終了後、該書写用道具を収納手段に収納する作業も面倒である。
【０００５】
一方、前記従来の書写用下敷は、筆記用具、文鎮、書液等の書写用道具を収納する手段を有しないため、これらの筆記用具、文鎮、書液等を該書写用下敷と共に収納箱、収納袋等の収納手段に収納しなければならないという問題がある。
【０００６】
本発明は、上記従来の問題を解決し、筆記用具、文鎮、下敷、書液等の書写用道具を収納容器内に容易に、かつ、コンパクトに収納すると共に、該収納容器を開蓋すれば直ちにこれらの書写用道具を用いて書写を開始することができるようにした書写用具を提供しようとしてなされたものである。
【課題を解決するための手段】
【０００７】
上記課題を解決するために、本発明は、下記の書写用具を提供する。
【０００８】
（１）底板と該底板の一縁に開閉自在に枢着した蓋部とよりなる収納容器を備え、
該蓋部は各縁に起立壁部を備え、
該蓋部は基部の一縁に先端部を折り曲げ自在に取り付けてなり、
該底板には下敷と文鎮と書液とを取り外し自在に載置すると共に筆置きを備えさせ、該蓋部における基部の内面には筆記用具の収納手段を配設し、
更に該蓋部を底板に固定するための固定手段を設けたことを特徴とする書写用具（請求項１）。
【０００９】
（２）前記下敷は、硬筆用下敷面と毛筆用下敷面とを備えている（請求項２）。
【００１０】
（３）前記下敷には磁石片又は鉄片を備えさせ、前記文鎮には該下敷の磁石片又は鉄片に吸着する鉄片又は磁石片を備えさせる（請求項３）。
【発明の効果】
【００１１】
［請求項１の発明］
本発明によれば、筆記用具と文鎮と下敷と書液とを収納容器内に容易に、かつ、コンパクトに収納することができる。
【００１２】
机等の平面上に収納容器を載置した状態で蓋部を開くと共に該蓋部の基部に対し先端部を外方に折り曲げたときには、該蓋部の基部は起立状態で使用者に面することになる。すなわち、該基部の内面に配設された収納手段に収納された筆記用具は略直立状態となる。図１、図３参照。また、底板には下敷と文鎮と書液とが載置され、底板は筆置きを備えている。したがって、書写用具の使用者は、机等の平面上に収納容器を載置した状態で蓋部を開くと共に該蓋部の基部に対し先端部を外方に折り曲げたときには、直ちに書写を開始することができる。換言すれば、書写の準備作業に要する時間が著しく短縮される。
【００１３】
蓋部は基部の一縁に先端部を折り曲げ自在に取り付けてなるものであるため、蓋部を開くと共に該蓋部の基部に対し先端部を外方に折り曲げたときには、蓋部が占める机上のスペースは極めて小さい。したがって、収納容器は狭い机上でも支障なく使用することができる。
【００１４】
蓋部は各縁に起立壁部を備えているため、該蓋部の基部に対し先端部を外方に折り曲げたときには、起立状態にある蓋部の基部と先端部とに書き終わった用紙を立てて整理しておくことができる。
【００１５】
書写後、筆記用具、書液等を収納容器内に容易に収納することができるため、書写の後片付けに要する時間も短縮される。
【００１６】
書写後、筆記用具と文鎮と下敷と書液とを収納容器内にコンパクトに収納することができ、しかも、蓋部を固定手段により底板に固定することができるため、書写用具の持ち運びも容易である。
【００１７】
［請求項２の発明］
下敷は硬筆用下敷面と毛筆用下敷面とを備えているため、硬筆による書写と毛筆による書写とのいずれも可能であり、硬筆による書写と毛筆による書写との切り替えも直ちに行うことができる。
【００１８】
［請求項３の発明］
下敷には磁石片又は鉄片を備えさせ、文鎮には該下敷の磁石片又は鉄片に吸着する鉄片又は磁石片を備えさせているため、文鎮は下敷に吸着される。したがって、重い文鎮は不要である。
【発明を実施するための最良の形態】
【００１９】
符号１に示すものは、書写用具における収納容器である。
【００２０】
収納容器１は、底板３と該底板３の一縁３ａに開閉自在に枢着した蓋部５とよりなる。
【００２１】
蓋部５は、各縁に起立壁部７、７、７、７を備えている。
【００２２】
蓋部５は、基部９の一縁９ａに先端部１１を折り曲げ自在に取り付けてなる。
【００２３】
底板３には下敷１３と文鎮１５と書液（容器に収納した書液）１７とを取り外し自在に載置すると共に筆置き１９を備えさせる。筆置き１９は、例えば毛筆の穂先が底板３に接触しないように該毛筆の柄部における穂先の近傍を保持する。
【００２４】
蓋部５における基部９の内面９ｂには筆記用具２１の収納手段２３を配設する。収納手段２３は、一例として一端を開口した筒状体とするが、硬筆又は毛筆等の筆記用具２１を出し入れ自在に収納し得るものであれば如何なるものであってもよい。
【００２５】
更に、蓋部５を底板３に固定するための固定手段２５を設ける。
【００２６】
図示の事例における固定手段２５は、蓋部５に紐状体２７の一端を固定し、該紐状体２７の他端に面ファスナーの係合素子２９を備えさせ、底部３には該係合素子２９に対応する面ファスナーの対応素子３１を備えさせてなるものである。
【００２７】
下敷１３は、好ましくは、硬筆用下敷面１３ａと毛筆用下敷面１３ｂとを備えている。
【００２８】
図５に示す事例においては、下敷１３は、塩化ビニル等の合成樹脂により形成した硬筆用下敷面１３ａと、フェルト等により形成した毛筆用下敷面１３ｂとを表裏接合し、下敷１３の一方の面が硬筆用下敷面１３ａとなり、下敷１３の他方の面が毛筆用下敷面１３ｂとなるようにしている。
【００２９】
図４、図５に示す事例においては、下敷１３には磁石片又は鉄片３３を備えさせ、文鎮１５には該下敷の磁石片又は鉄片３３に吸着する鉄片又は磁石片３５を備えさせている。
【００３０】
すなわち、例えば、下敷１３に磁石片３３を備えさせたときには、文鎮１５には該下敷の磁石片３３に吸着する鉄片３５を備えさせる。また、下敷１３に鉄片３３を備えさせたときには、文鎮１５には該下敷の鉄片３３に吸着する磁石片３５を備えさせる。
【００３１】
書液１７としては、好ましくは、所望の色の顔料又は染料を原料とするものを使用する。
【図面の簡単な説明】
【００３２】
【図１】本発明による書写用具の一例を示す斜視図である。
【図２】同上書写用具を斜め下方から見た状態を示す斜視図である。
【図３】同上書写用具の断面図である。
【図４】下敷の平面図である。
【図５】同上下敷の一部を拡大して示す断面図である。
【符号の説明】
【００３３】
１  収納容器
３  底板
３ａ  一縁
５  蓋部
７  起立壁部
９  基部
９ａ  一縁
９ｂ  内面
１１  先端部
１３  下敷
１３ａ  硬筆用下敷面
１３ｂ  毛筆用下敷面
１５  文鎮
１７  書液
１９  筆置き
２１  筆記用具
２３  収納手段
２５  固定手段
２７  紐状体
２９  係合素子
３１  対応素子
３３  磁石片又は鉄片
３５  鉄片又は磁石片
【図１】
0005041964.tif 000002
【図２】
0005041964.tif 000003
【図３】
0005041964.tif 000004
【図４】
0005041964.tif 000005
【図５】
0005041964.tif 000006